(57)【要約】【課題】使用目的に応じて火力や燃焼時間等を調節することができ、エネルギーの浪費を防止することができ、しかも取扱いが容易な固形燃料を提供する。【解決手段】可燃性材料からなる外筒部２と、可燃性材料からなり、外筒部２内に挿脱可能として嵌合した中筒部３と、可燃性材料からなり、中筒部３内に挿脱可能として嵌合した芯部４とを備えるものとする。【選択図】  図１
2013018877.tif 000002
【特許請求の範囲】
【請求項１】
可燃性材料からなる外筒部と、
可燃性材料からなり、前記外筒部内に挿脱可能として嵌合した中筒部と、
可燃性材料からなり、前記中筒部内に挿脱可能として嵌合した芯部
とを備えることを特徴とする固形燃料。
【請求項２】
中筒部を、互いに挿脱可能とした内外多重のものとした請求項１記載の固形燃料。
【請求項３】
芯部または中筒部の外形の横断面を非円形とし、それが嵌合される中筒部または外筒部の内面形状を、前記外形に補形をなす形状とした請求項１または２記載の固形燃料。
【請求項４】
外筒部、中筒部、および芯部のいずれか１または複数のものに、軸線方向を向く１または複数の通気用縦孔を設けた請求項１〜３のいずれかに記載の固形燃料。
【請求項５】
外筒部、中筒部、および芯部のいずれか１または複数のものに、通気用縦孔と連通し、かつ軸線と直交する方向を向いて、それらの外側面に開口する１または複数の通気用横孔を設けた請求項４記載の固形燃料。
【請求項６】
外筒部、中筒部、および芯部のいずれか１または複数のものの上面と下面とに、構造および形状を同一とした複数の固形燃料を上下に積み重ねたとき、上下に対向する面間において互いに係合するようにした位置決め用の凸部と凹部とを設けた請求項１〜５のいずれかに記載の固形燃料。
【請求項７】
外筒部の内面とそれに対向する中筒部の外面、または中筒部の内面とそれに対向する芯部の外面を、互いに接触することにより、その内側のものが自重により落下しない程度に保持しうる摩擦力が得られるようにした摩擦面とした請求項１〜６のいずれかに記載の固形燃料。
【請求項８】
外筒部の内面とそれに対向する中筒部の外面との間、または中筒部の内面とそれに対向する芯部の外面との間に、外筒部に対する中筒部、または中筒部に対する芯部の上方への移動は許容するが、下方への移動は阻止するようにした落ち止め手段を設けた請求項１〜７のいずれかに記載の固形燃料。
【請求項９】
落ち止め手段が、外筒部の下端部内面に設けた内向き凸部と、それに係合するように、中筒部の下端部外面に設けた凹部、または中筒部の下端部内面に設けた内向き凸部と、それに係合するように、芯部の下端部外面に設けた凹部を備えている請求項８記載の固形燃料。
【請求項１０】
外筒部、中筒部、および芯部を、粉炭と粘着材とを混合して加圧成形したものにより構成し、練炭とした請求項１〜９のいずれかに記載の固形燃料。
【請求項１１】
可燃性材料からなる外筒部と、
可燃性材料からなり、かつ前記外筒部内に挿脱可能として嵌合した芯部
とを備えることを特徴とする固形燃料。
【発明の詳細な説明】
【技術分野】
【０００１】
本発明は、練炭その他の固形燃料に関する。
【背景技術】
【０００２】
近年、練炭は、七輪用の燃料としてだけでなく、屋外でのバーベキュー用等として広く使用されるようになってきている。
また、練炭以外にも、例えば、メタノールにゲル化剤として酢酸カルシウムまたは脂肪酸ナトリウムなどを加えて製造したアルコール系や、パラフィン系等の卓上用の固形燃料や、バイオマスを使用したタブレット型の固形燃料等も普及している。
【０００３】
練炭には、円柱状とした練炭本体の外周面に、軸線方向を向く凹条を設け、この凹条を、練炭本体を収容する練炭保持筒の内面に設けた突条に係合させることにより、練炭保持筒内への収容時の位置決めを図るようにしたものがある(例えば特許文献１参照)。
【先行技術文献】
【特許文献】
【０００４】
【特許文献１】実開昭６１−９８８４２号公報
【発明の概要】
【発明が解決しようとする課題】
【０００５】
しかし、上記のような従来の練炭その他の固形燃料においては、小型のタブレット型や豆炭等を除いては、使用目的に応じて火力や燃焼時間等を調節しうるものは少なく、必要以上に燃料を燃焼し、エネルギーを浪費している傾向がある。
【０００６】
本発明は、従来の技術が有する上記のような問題点に鑑みてなされたもので、使用目的に応じて火力や燃焼時間等を調節することができ、エネルギーの浪費を防止することができ、しかも取扱いが容易な固形燃料を提供することを目的としている。
【課題を解決するための手段】
【０００７】
本発明によると、上記課題は、次のようにして解決される。
（１）可燃性材料からなる外筒部と、可燃性材料からなり、前記外筒部内に挿脱可能として嵌合した中筒部と、可燃性材料からなり、前記中筒部内に挿脱可能として嵌合した芯部とを備えるものとする。
【０００８】
このような構成とすると、使用目的に応じて火力や燃焼時間等を調節することができ、エネルギーの浪費を防止することができる。
例えば、少量の湯を沸かすだけの場合には、芯部のみを他部から抜き出して使用し、バーベキューや大量の調理を行う場合には、外筒部と中筒部と芯部とを、互いに入れ子式に嵌合したままの状態で使用し、その中間的な火力を使用したい場合には、中筒部単独で、または中筒部内に芯部を嵌合した状態で使用することにより、過剰なエネルギー消費を抑制することができる。
また、外筒部と中筒部と芯部とを、互いに入れ子式に嵌合した状態で、さらには、同一形状のものを複数段積み重ねた状態で搬送することができ、使用時には、その中の必要なもののみを取り出せばよいので、取扱いが便利である。
【０００９】
（２）上記(１)項において、中筒部を、互いに挿脱可能とした内外多重のものとする。
【００１０】
このような構成とすると、火力調節を４段階以上とすることができる。
【００１１】
（３）上記(１)または(２)項において、芯部または中筒部の外形の横断面を非円形とし、それが嵌合される中筒部または外筒部の内面形状を、前記外形に補形をなす形状とする。
【００１２】
このような構成とすると、芯部は中筒部に対して、または中筒部は外筒部に対して位置決めして嵌合される。したがって、後述するような通気用縦孔を芯部や中筒部に設けた場合、外筒部に対するそれらの通気用縦孔の位置が一定に定まるので、構造および形状を同一とした複数の固形燃料を位置決めして上下に積み重ねたとき、それらの通気用縦孔が整合し、そのままの状態でそれらを燃焼させた際、通気用縦孔が位置ずれして、通気が遮断され、燃焼効率が低下する等のおそれを防止することができる。
【００１３】
（４）上記(１)〜(３)項のいずれかにおいて、外筒部、中筒部、および芯部のいずれか１または複数のものに、軸線方向を向く１または複数の通気用縦孔を設ける。
【００１４】
このような構成とすると、固形燃料の燃焼時に、燃焼用空気が通気用縦孔を通って内部に供給され、燃焼効率を高めることができる。
【００１５】
（５）上記(４)項において、外筒部、中筒部、および芯部のいずれか１または複数のものに、通気用縦孔と連通し、かつ軸線と直交する方向を向いて、それらの外側面に開口する１または複数の通気用横孔を設ける。
【００１６】
このような構成とすると、固形燃料の燃焼時に、燃焼用空気が、通気用横孔を通って、通気用縦孔に導入され、燃焼効率をさらに高めることができる。
【００１７】
（６）上記(１)〜(５)項のいずれかにおいて、外筒部、中筒部、および芯部のいずれか１または複数のものの上面と下面とに、構造および形状を同一とした複数の固形燃料を上下に積み重ねたとき、上下に対向する面間において互いに係合するようにした位置決め用の凸部と凹部とを設ける。
【００１８】
このような構成とすると、構造および形状を同一とした複数の固形燃料を上下に積み重ねたとき、上下に隣接する固形燃料の相互の位置決めがなされ、例えば、上記(４)項におけるような通気用縦孔を各固形燃料に設けた場合、上下に隣接する固形燃料の各通気用縦孔が互いに整合し、そのままの状態でそれらを燃焼させた際、通気用縦孔が位置ずれして、通気が遮断され、燃焼効率が低下する等のおそれを防止することができる。
【００１９】
（７）上記(１)〜(６)項のいずれかにおいて、外筒部の内面とそれに対向する中筒部の外面、または中筒部の内面とそれに対向する芯部の外面を、互いに接触することにより、その内側のものが自重により落下しない程度に保持しうる摩擦力が得られるようにした摩擦面とする。
【００２０】
このような構成とすると、外筒部を持ち上げたとき、その内側の中筒部と芯部とがともに持ち上がり、また中筒部を持ち上げたとき、その内側の芯部がともに持ち上がるので、持ち運びに便利である。
【００２１】
（８）上記(１)〜(７)項のいずれかにおいて、外筒部の内面とそれに対向する中筒部の外面との間、または中筒部の内面とそれに対向する芯部の外面との間に、外筒部に対する中筒部、または中筒部に対する芯部の上方への移動は許容するが、下方への移動は阻止するようにした落ち止め手段を設ける。
【００２２】
このような構成とすると、外筒部を持ち上げたとき、その内側の中筒部がともに持ち上がり、また中筒部を持ち上げたとき、その内側の芯部がともに持ち上がるので、持ち運びに便利である。
【００２３】
（９）上記(８)項において、落ち止め手段が、外筒部の下端部内面に設けた内向き凸部と、それに係合するように、中筒部の下端部外面に設けた凹部、または中筒部の下端部内面に設けた内向き凸部と、それに係合するように、芯部の下端部外面に設けた凹部を備えるものとする。
【００２４】
このような構成とすると、落ち止め手段の構成を簡素化しうるとともに、外筒部に対する中筒部の落下、および中筒部に対する芯部の落下を確実に防止することができる。
【００２５】
（１０）上記(１)〜(９)項のいずれかにおいて、外筒部、中筒部、および芯部を、粉炭と粘着材とを混合して加圧成形したものにより構成し、練炭とする。
【００２６】
このような構成とすると、練炭の用途を従来のものより広げることができ、練炭をより普及させることができる。
【００２７】
(１１)  可燃性材料からなる外筒部と、可燃性材料からなり、かつ前記外筒部内に挿脱可能として嵌合した芯部とを備えるものとする。
【００２８】
このような構成とすると、使用目的に応じて火力や燃焼時間等を調節することができ、エネルギーの浪費を防止することができる。
例えば、少量の湯を沸かすだけの場合には、芯部のみを外筒部から抜き出して使用し、バーベキューや大量の調理を行う場合には、外筒部と芯部とを、互いに入れ子式に嵌合したままの状態で使用し、その中間的な火力を使用したい場合には、外筒部単独で使用することにより、過剰なエネルギー消費を抑制することができる。
また、外筒部と芯部とを、互いに入れ子式に嵌合した状態で、さらには、同一形状のものを複数段積み重ねた状態で搬送することができ、使用時には、その中の必要なもののみを取り出せばよいので、取扱いが便利である。
【発明の効果】
【００２９】
本発明によると、使用目的に応じて火力や燃焼時間等を調節することができ、エネルギーの浪費を防止することができ、しかも取扱いが容易な固形燃料を提供することができる。
【図面の簡単な説明】
【００３０】
【図１】本発明の固形燃料の第１の実施形態を複数個積み重ねたときの斜視図である。
【図２】同じく、１個の固形燃料の分解斜視図である。
【図３】同じく、平面図である。
【図４】図３におけるIV−IV線縦断正面図である。
【図５】本発明の固形燃料の第２の実施形態の一部を破断して示す分解斜視図である。
【図６】本発明の固形燃料の第３の実施形態の斜視図である。
【図７】本発明の固形燃料の第４の実施形態の平面図である。
【図８】図７におけるVIII−VIII線縦断正面図である。
【発明を実施するための形態】
【００３１】
以下、本発明の実施形態を、図面に基づいて説明する。
図１〜図４は、本発明の固形燃料の第１の実施形態を示す。
この固形燃料１は、可燃性材料からなる外筒部２と、可燃性材料からなり、外筒部２内に挿脱可能として嵌合した中筒部３と、可燃性材料からなり、中筒部３内に挿脱可能として嵌合した芯部４とを備えている。
【００３２】
外筒部２、中筒部３、および芯部４は、それぞれ可燃性材料である粉炭と粘着材とを混合して加圧成形したものにより構成されており、それぞれが単独でも、また互いに入れ子状に嵌合した状態でも、練炭として使用することができる。
【００３３】
外筒部２の外形の横断面は円形としてあるが、中筒部３の外周面には、軸線と平行の上下方向を向く５条の凸条５が互いに円周方向に等間隔に設けられており、外筒部２の内面には、各凸条５と補形をなす５条の凹条６が設けられている。
このように、中筒部３の外形の横断面を非円形とし、それが嵌合される外筒部２の内面形状を、中筒部３の外形と補形をなす形状としてあるので、それらを互いに嵌合することによって、中筒部３は外筒部２に対して位置決めされるようになっている。
【００３４】
芯部４の外周面には、軸線と平行の上下方向を向く２条の山形の凸条７が互いに円周方向に等間隔に設けられており、中筒部３の内面には、各凸条７と補形をなす２条の凹条８が設けられている。
このように、芯部４の外形の横断面を非円形とし、それが嵌合される中筒部３の内面形状を、芯部４の外形と補形をなす形状としてあるので、それらを互いに嵌合することによって、芯部４は中筒部３に対して位置決めされるようになっている。
【００３５】
なお、芯部４の外形の横断面および中筒部３の内面の横断面を、互いに補形をなす単なる円形とすることもある。
その理由は、芯部４においては、後述する通気用縦孔９が中央に設けられているので、芯部４が中筒部３内において相対的に回転したとしても、通気用縦孔９の位置が変わることはなく、中筒部３に対する芯部４の回転方向の位置決めを図る必要がないからである。また、その場合には、芯部４の上下面に設けられる後述する位置決め用の凹部１１および凸部１２も省略して実施することもある。
【００３６】
中筒部３の内面とそれに対向する芯部４の外面は、互いに接触することにより、その内側の芯部４が自重により落下しない程度に保持しうる摩擦力が得られるようにした摩擦面とし、また外筒部２の内面とそれに対向する中筒部３の外面は、互いに接触することにより、その内側のもの、すなわち中筒部３と芯部４が自重により落下しない程度に保持しうる摩擦力が得られるようにした摩擦面としてある。
このようにすると、外筒部２を持ち上げたとき、その内側の中筒部３と芯部４とがともに持ち上がり、また中筒部３を持ち上げたとき、その内側の芯部４がともに持ち上がるので、持ち運びに便利である。
【００３７】
芯部４の中央と、中筒部３における各凸条５の内側と、外筒部２における互いに隣接する１対の凹条６、６間の外側の部分とには、軸線と平行の上下方向を向く通気用縦孔９がそれぞれ設けられている。
【００３８】
また、芯部４と中筒部３と外筒部２とのそれぞれの下端には、通気用縦孔９と連通し、かつ軸線と直交する方向を向いて、それらの外側面に開口する凹溝状の通気用横孔１０が設けられている。
芯部４においては、３個の通気用横孔１０が、中央の通気用横孔１０から放射状に３方向に延出するように配設されており、中筒部３と外筒部２とにおいては、各通気用横孔１０は、各通気用縦孔９から外側方を向くように、すなわち芯部４の中心軸線から離心方向を向くように配設されている。
【００３９】
芯部４と中筒部３と外筒部２とに通気用縦孔９や通気用横孔１０を設けたことにより、それらの燃焼時に、燃焼用空気が通気用縦孔９や通気用横孔１０を通って、練炭の内部に供給され、燃焼効率を高めることができる。
【００４０】
外筒部２および中筒部３の上面には、５個の位置決め用の凹部１１が、５個の通気用縦孔９の円周方向の中間にそれぞれ位置するようにして設けられ、また芯部４の上面には、３個の位置決め用の凹部１１が、中央の通気用縦孔９を中心とする同一円周上において円周方向に等間隔をなすようにしてそれぞれ設けられている。
【００４１】
外筒部２、中筒部３、および芯部４の下面には、それらの上面における各凹部１１と対応するように、位置決め用の凸部１２がそれぞれ設けられている。
各凹部１１と凸部１２は、互いに補形をなす球面としてあるが、その他の形状としてもよい。
【００４２】
各凹部１１と凸部１２からなる位置決め手段を設けたことにより、外筒部２、中筒部３、および芯部４を互いに入れ子状に嵌合してなる、構造および形状を同一とした複数の固形燃料１を、図１に示すように上下に多段状に積み重ねたとき、各段の固形燃料１の上面における各凹部１１に、その上段の固形燃料１の下面における各凸部１２が嵌合することにより、上下に隣接する固形燃料１の相互の位置決めがなされ、上下に隣接する固形燃料１、１の各通気用縦孔９が互いに整合し、そのままの状態でそれらを燃焼させた際、通気用縦孔９が位置ずれして、通気が遮断されたり、絞られたりして、燃焼効率が低下する等のおそれを防止することができる。
【００４３】
第１の実施形態においては、以上のような構成としてあるので、使用目的に応じて火力や燃焼時間等を調節することができ、エネルギーの浪費を防止することができる。
例えば、少量の湯を沸かすだけの場合には、芯部４のみを他部から抜き出して使用し、バーベキューや大量の調理を行う場合には、外筒部２と中筒部３と芯部４とを、互いに入れ子式に嵌合したままの状態で使用し、その中間的な火力を使用したい場合には、中筒部３単独で、もしくは中筒部３内に芯部４を嵌合した状態で、または外筒部２単独で、もしくはそれと芯部４とを組み合わせて使用することにより、過剰なエネルギー消費を抑制することができる。
【００４４】
また、外筒部２と中筒部３と芯部４とを、互いに入れ子式に嵌合した状態で、さらには、そのように各部を入れ子式に嵌合した同一構造同一形状の複数の固形燃料１を、互いに積み重ねた状態で搬送することができ、使用時には、その中の必要なもののみを取り出せばよいので、取扱いが便利である。
【００４５】
図５は、本発明の固形燃料の第２の実施形態を示す。なお、第１の実施形態におけるのと同一または類似の部材には、同一の符号をもって図示するに止め、それらについての詳細な説明は省略する(図６に示す本発明の第３の実施形態、並びに図７および図８に示す本発明の第４の実施形態においても同様とする)。
【００４６】
この実施形態においては、ほぼ円筒形とした外筒部２の内面と、それに対向するほぼ円筒形とした中筒部３の外面との間、および中筒部３の内面と、それに対向するほぼ円柱状とした芯部４の外面との間に、外筒部２に対する中筒部３、および中筒部３に対する芯部４の上方への移動は許容するが、下方への移動は阻止するようにした落ち止め手段１３、１４を設けてある。
【００４７】
図５に示す例では、落ち止め手段１３は、外筒部２の下端部内面に設けた複数個の内向き凸部１５と、それに係合するように、中筒部３の下端部外面に設けた複数個の凹部１６とを備えるものとしてある。
また、落ち止め手段１４は、芯部４の上端部外周面に設けた複数個の外向き凸部１７と、それに係合するように、中筒部３の上端部内面に設けた複数個の凹部１８とを備えるものとしてある。
【００４８】
このような落ち止め手段１３、１４を設けることにより、外筒部２に対する中筒部３、および中筒部３に対する芯部４の上方への移動は許容されるが、下方への移動は阻止され、外筒部２を持ち上げたとき、その内側の中筒部３がともに持ち上がり、また中筒部３を持ち上げたとき、その内側の芯部４がともに持ち上がるので、持ち運びに便利である。
【００４９】
また、落ち止め手段１３を、内向き凸部１５と凹部１６とを備えるものとするとし、落ち止め手段１４を、外向き凸部１７と凹部１８とを備えるものとすることによって、落ち止め手段１３、１４の構成を簡素化しうるとともに、外筒部２に対する中筒部３の落下、および中筒部３に対する芯部４の落下を確実に防止することができる。
【００５０】
さらに、この落ち止め手段１３、１４は、内向き凸部１５が凹部１６と、外向き凸部１７が凹部１８と、それぞれ係合することにより、外筒部２に対する中筒部３、および中筒部３に対する芯部４の回転方向の位置決めをも図ることができるようになっている。すなわち、落ち止め兼位置決め手段となっている。
【００５１】
なお、図示は省略するが、落ち止め手段１３を、落ち止め手段１４と同様に、中筒部３の上端部外周面に設けた複数個の外向き凸部と、それに係合するように、外筒部２の上端部内面に設けた複数個の凹部１８とを備えるものとしたり、落ち止め手段１４を、落ち止め手段１３と同様に、中筒部３の下端部内面に設けた複数個の内向き凸部と、それに係合するように、芯部４の下端部外面に設けた複数個の凹部とを備えるものとしたりしてもよい。
【００５２】
図６は、本発明の第３の実施形態を示す。
この実施形態においては、固形燃料１は、ほぼ正方形の角筒状とした可燃性材料からなる外筒部１９と、可燃性材料からなり、かつ外筒部１９内に挿脱可能として嵌合した角柱状の芯部２０とを備えている。
【００５３】
芯部２０の中央には、１個の通気用縦孔９が、また外筒部１９における各辺の内側には、それぞれ２個の通気用縦孔９、９が設けられている。
【００５４】
芯部２０は、外筒部１９内に遊嵌されているだけで、第１の実施形態におけるように、対向面を摩擦面としたり、第２の実施形態におけるように、内向き凸部１５や外向き凸部１７を凹部１６、１８に係合させるようにした相互係合手段等は何ら設けてはいない。
【００５５】
このような単純な構成であっても、使用目的に応じて火力や燃焼時間等を調節することができ、エネルギーの浪費を防止することができるという基本的な効果は奏することができる。
すなわち、少量の湯を沸かすだけの場合には、芯部２０のみを外筒部１９から抜き出して使用し、バーベキューや大量の調理を行う場合には、外筒部１９と芯部２０とを、互いに入れ子式に嵌合したままの状態で使用し、その中間的な火力を使用したい場合には、外筒部１９単独で使用することにより、過剰なエネルギー消費を抑制することができる。
【００５６】
販売時や搬送時等においては、芯部２０が外筒部１９から落下しないように、例えば、芯部２０を外筒部１９内に嵌合した状態で、その上下面と一側面とを、側面視コ字状に折曲した１枚の台紙により挟んで袋詰めしたり、芯部２０を外筒部１９内に嵌合した状態で、複数の固形燃料１を、上下左右に並べて段ボール箱等内に収容したりしておくのがよい。
【００５７】
図７および図８は、本発明の第４の実施形態を示す。
この実施形態においては、外筒部２、中筒部３、および芯部４の外面の横断面形状を、相似形のほぼ正六角形とするとともに、外筒部２および中筒部３の内面の横断面形状も、相似形のほぼ正六角形としてある。
【００５８】
外筒部２および中筒部３の内面下部には、上面がそれらの正六角形の中心に向かって下向き傾斜する傾斜面２１ａ、２２ａをなす内向き凸部２１、２２が、全周に亘って設けられている。
それらに対向する中筒部３および芯部４の外面下部には、正六角形の中心に向かって下向き傾斜する傾斜面２３、２４が形成され、中筒部３および芯部４の下端部は先細り状となっている。
【００５９】
外筒部２内に中筒部３を嵌合したり、中筒部３内に芯部４を嵌合したりしたときは、中筒部３および芯部４の下端部の傾斜面２３、２４が、外筒部２の内向き凸部２１の傾斜面２１ａおよび中筒部３の内向き凸部２２の傾斜面２２ａに当接して、外筒部２に対する中筒部３、および中筒部３に対する芯部４の下降は阻止されるようになっている。
【００６０】
しかし、この固形燃料１の各部２、３、４を互いに嵌合した状態で、上下を反転させることにより、外筒部２に対して中筒部３を、また中筒部３に対して芯部４を、容易に取り出すことができる。
【００６１】
このように、第４の実施形態においては、傾斜面２１ａ、２２ａを有する内向き凸部２１、２２と、それに対向する傾斜面２３、２４とによって、外筒部２に対する中筒部３、および中筒部３に対する芯部４の上方への移動は許容するが、下方への移動は阻止するようにした落ち止め手段１３、１４が形成されている。
また、中筒部３の外面形状を、外筒部２の内面形状と補形をなすようにし、芯部４のの外面形状を、中筒部３の内面形状と補形をなすようにすることによって、外筒部２に対する中筒部３、および中筒部３に対する芯部４の回転方向の位置決めを図っている。
【００６２】
なお、第４の実施形態においては、内向き凸部２１、２２を、上面が傾斜面２１ａ、２２ａをなす断面三角形としてあるが、これを、図５に示す内向き凸部１５のように、断面四角形とし、それに対向する中筒部３および芯部４の外面下部には、その断面四角形とした内向き凸部２１、２２と補形をなす凹入段部を設けるようにしてもよい。
【００６３】
また、図５に示す外向き突部１７と凹部１８との関係のように、芯部４の上端部の外周面に、断面三角形または四角形の外向き突部を全周に亘って設け、それに対向する中筒部３の上端部内周面に、この外向き突部と補形をなす傾斜面または凹入段部を設けてもよい。
【００６４】
本発明は、上記実施形態のみに限定されるものではなく、特許請求の範囲を逸脱することなく、例えば、次のような幾多の変形した態様での実施が可能である。
(１)  第１の実施形態における中筒部３を、互いに挿脱可能とした内外多重のものとする。
このような構成とすると、火力調節を４段階以上とすることができる。
(２)  固形燃料１における各部２、３、４、１９、２０の材料を、上記のような粉炭と粘着材とを混合したものだけでなく、背景技術において記載してあるような、メタノールにゲル化剤として酢酸カルシウムまたは脂肪酸ナトリウムなどを加えて製造したアルコール系のもの、パラフィン系のもの、バイオマス系のもの等とする。
(３)  各部２、３、４、１９、２０の外形や内面の横断面形状を、円形だけでなく、多角形、楕円形、その他の非円形とする。
(４)  各部２、３、４、１９、２０を互いに位置決めして嵌合した際、各部２、３、４、１９、２０の通気用横孔１０が、放射状をなして互いに連通するようにする。
このようにすると、各部２、３、４、１９、２０を互いに嵌合したまま燃焼させる場合に、各通気用縦孔９への燃焼空気の導入が促進される。
(５)  各部２、３、４、１９、２０の上下方向の中間部に、通気用縦孔９に連通し、かつ外側面に開口する横孔を穿設する。
【符号の説明】
【００６５】
１  固形燃料
２  外筒部
３  中筒部
４  芯部
５  凸条
６  凹条
７  凸条
８  凹条
９  通気用縦孔
１０  通気用横孔
１１  凹部
１２  凸部
１３、１４  落ち止め手段
１５  内向き凸部
１６  凹部
１７  外向き凸部
１８  凹部
１９  外筒部
２０  芯部
２１、２２  内向き凸部
２１ａ、２２ａ  傾斜面
２３、２４  傾斜面
【図１】
2013018877.tif 000003
【図２】
2013018877.tif 000004
【図３】
2013018877.tif 000005
【図４】
2013018877.tif 000006
【図５】
2013018877.tif 000007
【図６】
2013018877.tif 000008
【図７】
2013018877.tif 000009
【図８】
2013018877.tif 000010